(57)【要約】【課題】  販売商品の広告、宣伝の効果を高め、また販売商品の種類を増やすことを可能にして、集客力を向上させることができる自動販売機の商品販売装置を提供する。【解決手段】  商品を収納する複数の商品コラム５と、商品コラム５に収納される商品の商品見本を展示する商品展示部7と、商品見本に対応してその近傍に設けられ、その商品を選択して販売する商品選択ボタン８を有する自動販売機において、商品展示部７と区別して設けられ、商品見本３６ａ、３６ｂ及び商品広告３６等を展示可能な商品情報展示部６と、商品情報展示部６の周囲に配設された商品選択予備ボタン２７と、商品選択予備ボタン２７の機能を設定する選択機能設定手段２４と備え、選択機能設定手段２４は、商品選択予備ボタン２７を、商品収納コラム５に収納される商品の何れかを販売可能にする商品販売設定と、商品の販売を不能にする不販売設定とに設定する。【選択図】      図１
2007265225.tif 000002
【特許請求の範囲】
【請求項１】
商品を収納する複数の商品コラムと、前記商品コラムに収納される商品の商品見本を展示する商品展示部と、前記商品見本に対応してその近傍に設けられ、その商品を選択して販売する商品選択ボタンを有する自動販売機において、
前記商品展示部と区別して設けられ、前記商品見本及び商品広告等を展示可能な商品情報展示部と、前記商品情報展示部の周囲に配設された商品選択予備ボタンと、前記商品選択予備ボタンの機能を設定する選択機能設定手段と備え、前記選択機能設定手段は、前記商品選択予備ボタンを、前記商品収納コラムに収納される商品の何れかを販売可能にする商品販売設定と、商品の販売を不能にする不販売設定とに設定することを特徴とする自動販売機の商品販売装置。
【請求項２】
複数の前記商品選択予備ボタンを一群として、複数の前記商品選択予備ボタン群を前記商品情報展示部の周囲に配設したことを特徴とする請求項１に記載の自動販売機の商品販売装置。
【請求項３】
前記商品情報展示部は、前記商品選択予備ボタンに対応する商品見本の展示と、前記商品選択予備ボタン群に対応する商品見本の展示と、前記商品選択予備ボタンに関らない商品広告等の展示とを、それぞれ展示することを特徴とする請求項１または請求項２に記載の自動販売機の商品販売装置。
【発明の詳細な説明】
【技術分野】
【０００１】
本発明は、商品コラムに収納された販売商品の見本や商品広告を展示する展示部と、販売商品を選択して販売するための商品選択ボタンを備えた自動販売機の商品販売装置に関する。
【背景技術】
【０００２】
従来のこのような自動販売機の商品販売装置としては、特開平９−９１５１３号公報（特許文献１）に記載されたものが知られていた。図５に示すように、この商品販売装置を備える自動販売機は、複数の商品見本３８を陳列する陳列棚7と、この商品見本３８が配置される陳列棚7の近傍に、その商品見本３８と対応して設けられた商品選択ボタン８とを有する自動販売機において、その陳列棚７以外に、一または複数の商品見本３８ｂ、または広告台を陳列することができ、かつ商品選択ボタン８を配置しない広告棚７ｂを設け、さらに一の商品見本３８ｃを陳列でき、かつそれに対して商品選択ボタン２７を配置する特別の陳列棚７ｃを設けたものである。
【０００３】
これによれば、特別の陳列棚７ｃに販売促進を行いたい商品見本３８ｃを陳列することにより、その販売を促進することができる。また、特別の陳列棚７ｃを設けることにより、一般の陳列棚７において陳列されている商品見本３８に置換えて、販売促進を行いたい商品見本３８ｃを置く必要がないため、従前の全ての種類の商品見本３８を一般の陳列棚７にそのまま陳列して置くことができるから、商品に対する集客力を維持しながら、商品の販売を促進することができるとしている。
【特許文献１】特開平９−９１５１３号公報
【発明の開示】
【発明が解決しようとする課題】
【０００４】
ところで、このような従来の自動販売機の商品販売装置においては、一般の陳列棚７と区別しないで、その直上に複数の商品見本３８ｂまたは広告台を陳列する広告棚７ｂと、一の販売促進用商品見本３８ｃとそれに対する商品選択ボタン２７を有する特別の陳列棚７ｃとを併設するから、それらの商品見本３８ｂや広告台、或は一の販売促進用商品見本３８ｃが漠然として配置されて目立たない。そのため、その広告、宣伝の効果が十分に発揮されない一面がある。また、商品選択ボタン２７を有する特別の陳列棚７ｃに陳列される商品は一つだけであるから、例えば同じ種類であって複数の嗜好別に分けられた品揃えを有する商品を販売促進用の商品として陳列する場合は、その内の一つしか展示できないため、商品の広告、宣伝の効果を十分に発揮できない等の問題があった。
【０００５】
本発明は、このような問題を解決するため、広告台や販売促進用の商品見本を陳列する広告棚を一般の陳列棚と別の位置に目立つように配設することにより、それを際立たせて広告、宣伝の効果を高めるようにし、また、販売促進用の商品として必要に応じて複数の商品を適宜に選択可能にし、例えば複数の嗜好別に分けられた商品を広告棚に陳列して、その商品の広告、宣伝の効果を十分に発揮させるとともに、選択可能な販売商品の種類を増やして、販売商品に対する集客力を向上させることができる自動販売機の商品販売装置を提供することを目的とするものである。
【課題を解決するための手段】
【０００６】
上記課題を解決するため、請求項１に係る発明は、商品を収納する複数の商品コラムと、前記商品コラムに収納される商品の商品見本を展示する商品展示部と、前記商品見本に対応してその近傍に設けられ、その商品を選択して販売する商品選択ボタンを有する自動販売機において、前記商品展示部と区別して設けられ、前記商品見本及び商品広告等を展示可能な商品情報展示部と、前記商品情報展示部の周囲に配設された商品選択予備ボタンと、前記商品選択予備ボタンの機能を設定する選択機能設定手段と備え、前記選択機能設定手段は、前記商品選択予備ボタンを、前記商品収納コラムに収納される商品の何れかを販売可能にする商品販売設定と、商品の販売を不能にする不販売設定とに設定するものである。
【０００７】
これによれば、前記商品選択予備ボタンを周囲に配設した前記商品情報展示部を前記商品展示部と分けて目立つように配置することができる。また、前記商品選択ボタンの他に前記商品収納コラムに収納される商品の何れかを必要に応じて前記商品選択予備ボタンにより販売可能にすることができるから、適宜に選択可能な販売商品の種類を増やすことができる。
【０００８】
請求項２に係る発明は、請求項１に記載の発明において、複数の前記商品選択予備ボタンを一群として、複数の前記商品選択予備ボタン群を前記商品情報展示部の周囲に配設したことにより、例えば同じ種類であって複数の嗜好別に分けられた品揃えを有する商品に関して、同種の嗜好別の商品見本を纏めて一群とし、それらの商品見本をその群毎に分けて前記商品情報展示部に展示して、これらの商品を販売することができる。
【０００９】
請求項３にかかる発明は、請求項１または請求項２に記載の発明において、前記商品情報展示部は、前記商品選択予備ボタンに対応する商品見本の展示と、前記商品選択予備ボタン群に対応する商品見本の展示と、前記商品選択予備ボタンに関らない商品広告等の展示とを、それぞれ展示するものである。これによれば、前記商品情報展示部は、商品の販売戦略や、自動販売機の個々の設置状況に応じて最適な商品情報を展示することができる。
【発明の効果】
【００１０】
以上説明したように請求項１に係る発明によれば、商品見本や広告等を展示する商品情報展示部を商品展示部と分けて目立つように配置することができるから、商品情報展示部に展示される広告、宣伝の効果を高めることができる。また、商品選択ボタンの他に商品収納コラムに収納される商品の何れかを、必要に応じて商品選択予備ボタンにより販売可能にすることにより、選択可能な販売商品の種類を適宜に増やすことができるから、販売商品に対する集客力を向上させて、商品の販売効率を高めることができる。
【００１１】
また、請求項２に係る発明によれば、請求項１に記載の発明において、例えば同じ種類であって複数の嗜好別に分けられた品揃えを有する商品に関して、同種の嗜好別の商品見本を纏めて一群とし、それらの商品見本をその群毎に分けて商品情報展示部に展示して、これらの商品を販売することができるから、販売商品の品揃えに応じた効果的な商品情報展示が可能となり、商品の販売促進効果を高めることができる。
【００１２】
また、請求項３に係る発明によれば、請求項１または請求項２に記載の発明において、商品情報展示部は、商品の販売戦略や自動販売機の個々の設置状況に応じて最適な商品情報を展示することができるから、状況に応じて効果的な販売促進を図ることができる汎用性の高い自動販売機の販売商品選択装置を提供することができる。
【発明を実施するための最良の形態】
【００１３】
本発明の実施の形態について図を参照して説明する。なお、従来と同一または同様の機能を有する構成には同符号を付す。
図１は本発明の実施形態の商品販売装置を有する自動販売機を示す正面図、図２は本発明の実施形態の商品販売装置を有する自動販売機において前扉およびその背面の中扉を開いた状態を示す内部構造斜視図である。
【００１４】
図１、図２に示すように、この自動販売機は、販売商品を収納する商品コラム５を内部に備えて前面を開口した本体１と、本体１の前面開口を開閉自在に閉塞する前扉２とを備えている。また、前扉２の背面側には、その背面を覆うとともにその背面側を開放可能な中扉３が配設されている。
前扉２の前面には、商品見本を表示する商品展示パネル１５と商品の価格を表示する商品価格パネル１６と商品を嗜好別に表示する商品細目パネル１７からなる複数の商品展示部７と、商品細目パネル１７と対応してその直下に配設された商品選択ボタン８と、商品展示部７の下方にそれと区別して設けられ販売促進用の商品や広告等を表示する商品情報表示部（商品情報展示部）６と、商品情報表示部６を囲むようにその上下に配置された商品選択予備ボタン２７と、商品を購入するための金銭を投入する硬貨投入口９および紙幣挿入口１０と、釣銭等を返却する返却レバー１１と、釣銭硬貨等を返却する硬貨返却口１２と、前面扉を開閉するためのハンドルロック１３と、商品コラム５から搬出される販売商品を取り出すための取出口扉１４と、投入金額や販売情報を表示するための表示器１８等が設けられている。また、前扉２の裏側には、投入された金銭を識別する硬貨識別装置（コインメカニズム）２１や紙幣識別装置（ビルバリデータ）２２と、投入された硬貨を貯留する硬貨金庫２３と、商品の販売価格設定等の各種設定を入力するための入力キーボード（選択機能設定手段）２４と、商品コラム５から払い出された商品が搬出される商品取出口２０が設けられている。
【００１５】
前扉２の背面側に設けられた中扉３の前面には、前扉２に設けられた商品展示部７や商品情報表示部６と対向してその前面を覆うようにディスプレイパネル２５が設けられ、そのディスプレイパネル２５には、それらの商品展示部７や商品情報表示部６を背面側から照明するように横長の蛍光管３０が上下方向に複数段に並んで設けられている。また中扉３の背面側には、本体１内の商品コラム５から払い出された商品を商品取出口２０に案内するドアシュート３１が備えられている。なお、商品コラム５は、たばこ等の箱型の商品を上下方向に積み重ねて収納するもので、その下部に最下位の商品を搬出する商品搬出装置３２が備えられている。
【００１６】
図３は商品情報表示部６を前扉２の背面側から見た斜視図である。図に示すように、商品情報表示部６は、前面に設けた透明板からなる表示窓６ａと、表示窓６ａの背面側に着脱自在に設けられたフイルム状の保持板３５とを備えている。そして、この保持板３５の前面に販売商品の見本や広告等の絵柄が記載された商品情報ポスター３６を重ねて差し入れ、それを表示窓６ａとの間に挟持して装着することにより、前扉２の前面から表示窓６ａの透明板を介して商品情報ポスター３６の絵柄等が目視可能に構成されている。なお、商品情報ポスター３６を使用せずに、フイルム状の保持板３５の表面に販売商品の見本や広告等の絵柄を直接に表示し、これを展示することも可能である。また、図示しないが、保持板３５や商品情報ポスター３６に替えて、表示窓６ａの背面側に立体形状の商品見本を展示可能とする構成としても良い。
【００１７】
また、図１に示すように商品情報表示部６の上下に配置される商品選択予備ボタン２７は、横方向に３個並べられて一群を成し、その３個の商品選択予備ボタン２７から成るボタン群（商品選択予備ボタン群）２６が、商品情報表示部６を囲むように上下にそれぞれ２箇所（合計４箇所）配置されている。これらの商品選択予備ボタン２７は、必要に応じて本体１内に設けられた何れかの商品コラム５と関連付けられてその商品コラム５に収納される商品を販売可能に設定されるものである。なお、商品選択予備ボタン２７は、商品コラム５内に収納された商品が販売可能であることを示す販売可ランプ（図示なし）と、商品コラム５内の商品が売り切れ状態にあることを示す売切ランプ（図示なし）とを有している。
【００１８】
ところで、図１に例示する商品情報表示部６においては、そこに展示される商品情報ポスター３６に、その周囲に配置された各々の商品選択予備ボタン２７と関らない例えば商品全般に関る内容の広告が記載されて、その全面に展示されている。すなわち、その広告は上方の商品展示部７と区別されて商品情報表示部６の全体に大きく展示される。また、この場合、商品選択予備ボタン２７は何れの商品コラム５とも関連付けられておらず、硬貨投入口９や紙幣挿入口１０から商品の販売価格に応じた金銭が投入されたときも、その商品選択予備ボタン２７に設けられた前述の販売可ランプや売切ランプは点灯しないように設定されている。したがって、顧客等がこれらの商品選択予備ボタン２７を操作して商品を購入しようとすることも稀である。すなわち、この状態において商品情報表示部６は、専らその広告の内容を目立たせて展示するように機能する。
【００１９】
図４は、本発明の実施形態の商品販売装置を有する自動販売機であって、その商品情報表示部６に商品選択予備ボタン２７に対応して商品見本３６ａ、３６ｂを展示する形態を示す正面図で、（ａ）は横方向に商品選択予備ボタン２７を３個並べて一群を成す各ボタン群２６に対し、一つの商品見本３６ａを展示する形態を示し、(ｂ)は各々の商品選択予備ボタン２７に対し一つの商品見本３６ｂを展示するものである。なお、３６ｃは商品を嗜好別に表示する商品細目ラベルである。
【００２０】
この場合、商品選択予備ボタン２７は、本体１内に設けられた何れかの商品コラム５と関連付けられて、その商品コラム５に収納される商品を販売可能に設定されている。この設定は、前扉２の裏側に設けられた入力キーボード２４によって行われる。この入力キーボード２４には、例えば図示しないテンキーが設けられ、これにより商品選択ボタン８及び商品選択予備ボタン２７の各々に付されたボタン番号と、本体１内の各商品コラムに付されたコラム番号とを関連付けて入力することにより、これらの設定が行われる。なお、商品選択予備ボタン２７に関連付けられる商品コラム５は、選択ボタン８に関連付けられた商品コラム５と同じものであっても良いし、或いはそれと別に設定しても良い。前者の場合は、同じ種類の商品見本を上段の商品展示部７とその下方の商品情報表示部６に重複して展示するからに、特にその商品の販売促進を図ることができる。一方、後者の場合は、設置場所等の状況に応じて容易に販売商品の種類を増やすことが可能である。
【００２１】
また、商品情報表示部６を囲むように配置される商品選択予備ボタン２７は、３個が纏って一群を成すように並べられるから、そのそれぞれに対応して、例えば同じ銘柄の「たばこ」であって嗜好別に品揃えされたボックスタイプ、ソフトタイプ、スリムタイプのような商品見本３６ｂ、または商品細目ラベル３６ｃを展示すれば、顧客等が商品を選択し易い効果的な商品展示を実現することができる。また、各々のボタン群２６に対して、一つの商品見本３６ａを展示すればそれを大きく展示できるから、その商品の展示効果を高めることができる。
【００２２】
以上のように本発明の実施形態の商品販売装置によれば、商品見本３６ａ、３６ｂや商品情報ポスター３６等を展示する商品情報表示部６を商品展示部７と分けて目立つように配置することができるから、商品情報表示部６に表示される広告、宣伝の効果を高めることができる。また、商品選択ボタン８の他に商品収納コラム５に収納される商品の何れかを、必要に応じて商品選択予備ボタン２７により販売可能にすることにより、選択可能な販売商品の種類を適宜に増やすことができるから、販売商品に対する集客力を向上させて、商品の販売効率を高めることができる。
【００２３】
また、複数の商品選択予備ボタン２７を一群として、複数のそれらのボタン群２６を商品情報表示部６の周囲に配設したことにより、例えば同じ種類であって複数の嗜好別に分けられた品揃えを有する商品に関して、同種の嗜好別の商品見本３６ｂや商品細目ラベル３６ｃを纏めて一群とし、それらの商品見本３６ｂや商品細目ラベル３６ｃをその群毎に分けて商品情報表示部６に展示して、これらの商品を販売することができるから、販売商品の品揃えに応じた効果的な商品情報表示が可能となり、商品の販売促進効果を高めることができる。
【００２４】
また、商品情報表示部６は、商品選択予備ボタン２７に対応する商品見本３６ｂの展示と、商品選択予備ボタン２７のボタン群２６に対応する商品見本３６ａの展示と、商品選択予備ボタン２７に関らない商品ポスター３６等の展示とを、それぞれ展示するから、商品の販売戦略や自動販売機の個々の設置状況に応じて最適な商品情報を展示することを可能にして、状況に応じて効果的な販売促進を図ることができる汎用性の高い自動販売機の商品販売装置を提供することができる。
【００２５】
なお、本発明の実施の形態においては、商品選択予備ボタン２７を横方向に３個並べて一群と成し、それを商品情報表示部６の上下にそれぞれ２箇所配置したが、一群を成す商品選択予備ボタンの数は３個に限らず何個でも良く、またその並方は縦方向、あるいは円弧状でも良い。またその商品情報表示部６の周囲への配置の方法は自在である。すなわち、本発明は言うまでもなく本実施の形態の示す装置のみに限定されず、本発明の趣旨の包含する範囲で応用変更が可能である。
【図面の簡単な説明】
【００２６】
【図１】本発明の実施形態の商品販売装置を有する自動販売機を示す正面図である。
【図２】本発明の実施形態の商品販売装置を有する自動販売機において、前扉およびその背面の中扉を開いた状態を示す内部構造斜視図である。
【図３】本発明の実施形態に係る自動販売機の商品販売装置を成す商品情報表示部を示す斜視図である。
【図４】本発明の実施形態に係る自動販売機の商品販売装置を有する自動販売機であって、その商品情報表示部に商品選択予備ボタンに対応して商品見本を展示する形態を示す正面図で、（ａ）は横方向に商品選択予備ボタンを３個並べて一群を成す各ボタン群に対し、一つの商品見本を展示する形態を示し、(ｂ)は各々の商品選択予備ボタンに対し一つの商品見本を展示するものである。
【図５】従来の実施形態の商品販売装置を有する自動販売機を示す正面図である。
【符号の説明】
【００２７】
１  本体
２  前扉
３  中扉
５  商品コラム
６  商品情報表示部（商品情報展示部）
７  商品展示部
８  商品選択ボタン
２４  入力キーボード（選択機能設定手段）
２６  ボタン群（商品選択予備ボタン群）
２７  商品選択予備ボタン
３６  商品情報ポスター
３６ａ  商品見本（商品選択予備ボタン群に対応する）
３６ｂ  商品見本（商品選択予備ボタンに対応する）
【図１】
2007265225.tif 000003
【図２】
2007265225.tif 000004
【図３】
2007265225.tif 000005
【図４】
2007265225.tif 000006
【図５】
2007265225.tif 000007